(57)【要約】【課題】操作表示部に表示された秘匿情報が他人の目に曝されることを防止しつつ、操作の実施が可能な操作表示システムを提供する。【解決手段】表示部と操作部と通信部とを有する操作表示装置と、携帯側表示部と携帯側操作部と携帯側通信部とを有する携帯装置と、前記表示部に前記携帯装置が重ね合わされたことを検出する検出装置とを備え、前記操作表示装置は、前記表示部に対して前記携帯装置が重ね合わされたことを前記検出装置が検出した場合に、前記表示部に秘匿情報が表示されているか否かを判断する判断部と、前記判断部において秘匿情報が表示されていると判断した場合に、前記表示部に表示されている秘匿情報を削除した画像を前記表示部に表示させ、前記秘匿情報に関する画像を前記通信部から前記携帯側通信部に送信させる表示制御部とを備え、前記携帯装置は、前記携帯側通信部で受信した画像を前記携帯側表示部に表示させる携帯側表示制御部を備えた操作表示システムである。【選択図】図１
2020202445.tif 000002
【特許請求の範囲】
【請求項１】
表示部と操作部と通信部とを有する操作表示装置と、
携帯側表示部と携帯側操作部と携帯側通信部とを有する携帯装置と、
前記表示部に前記携帯装置が重ね合わされたことを検出する検出装置とを備え、
前記操作表示装置は、
前記表示部に対して前記携帯装置が重ね合わされたことを前記検出装置が検出した場合に、前記表示部に秘匿情報が表示されているか否かを判断する判断部と、
前記判断部において秘匿情報が表示されていると判断した場合に、前記表示部に表示されている秘匿情報を削除した画像を前記表示部に表示させ、前記秘匿情報に関する画像を前記通信部から前記携帯側通信部に送信させる表示制御部とを備え、
前記携帯装置は、
前記携帯側通信部で受信した画像を前記携帯側表示部に表示させる携帯側表示制御部を備えた
操作表示システム。
【請求項２】
前記検出装置は、前記表示部に対して前記携帯装置が重ね合わされた領域を検出し、
前記操作表示装置の判断部は、前記領域に前記秘匿情報が表示されているか否かを判断し、
前記操作表示装置の表示制御部は、前記判断部において前記領域に秘匿情報が表示されていると判断された場合に、前記領域の全ての画像および前記領域内の秘匿情報のみの何れかを削除した画像を前記表示部に表示させ、前記表示部から削除された画像を前記通信部から前記携帯側通信部に送信させる
請求項１に記載の操作表示システム。
【請求項３】
前記操作表示装置の判断部は、前記領域に表示されている秘匿情報と関連する秘匿情報が、前記表示部における前記領域の外側に表示されているか否かを判断し、
前記操作表示装置の表示制御部は、前記判断部において前記領域に表示されている秘匿情報と関連する秘匿情報が前記表示部における前記領域の外側に表示されていると判断された場合に、前記関連する秘匿情報を削除した画像を前記表示部に表示させる
請求項２に記載の操作表示システム。
【請求項４】
前記操作表示装置は、前記秘匿情報の項目を保持した記憶部を備え、
前記操作表示装置の判断部は、前記記憶部に保持された前記秘匿情報の項目を参照して前記表示部に秘匿情報が表示されているか否かの判断を実施する
請求項１〜３の何れか１項に記載の操作表示システム。
【請求項５】
前記操作表示装置の判断部は、前記操作表示装置の操作部からの操作によって設定された前記秘匿情報の項目に基づいて、前記表示部に秘匿情報が表示されているか否かの判断を実施する
請求項１〜４の何れか１項に記載の操作表示システム。
【請求項６】
前記検出装置は、前記表示部に対して前記携帯装置が接触または非接触で重ね合わされたことを検出する
請求項１〜５の何れか１項に記載の操作表示システム。
【請求項７】
前記検出装置は、前記操作表示装置に設けられた
請求項１〜６の何れか１項に記載の操作表示システム。
【請求項８】
前記通信部と前記携帯側通信部とは、近距離無線通信を実施し、
前記操作表示装置の表示制御部は、前記通信部と前記携帯側通信部との通信が途絶えた場合に、前記表示部に対する表示を停止する
請求項１〜７の何れか１項に記載の操作表示システム。
【請求項９】
前記操作表示装置は、画像処理装置である
請求項１〜８の何れか１項に記載の操作表示システム。
【請求項１０】
表示部と操作部と通信部とを有する操作表示装置と、携帯側表示部と携帯側操作部と携帯側通信部とを有する携帯装置と、前記表示部に前記携帯装置が重ね合わされたことを検出する検出装置とを備えた操作表示システムの制御プログラムであって、
計算機に対し、
前記表示部に対して前記携帯装置が重ね合わされたことを前記検出装置が検出した場合に、前記表示部に秘匿情報が表示されているか否かを判断させ、
秘匿情報が表示されていると判断した場合に、前記表示部に表示されている秘匿情報を削除した画像を前記表示部に表示させ、前記秘匿情報に関する画像を前記通信部から前記携帯側通信部に送信させ、
前記携帯側通信部で受信した画像を前記携帯側表示部に表示させるための処理を実施させる
操作表示システムの制御プログラム。
【発明の詳細な説明】
【技術分野】
【０００１】
本発明は、操作表示システムおよび操作表示システムの制御プログラムに関する。
【背景技術】
【０００２】
プリンター、複写機、ファクシミリなどの画像処理機器の機能が１つの筐体に収められた複合機（MultiFunction Printer/Product/Peripheral：ＭＦＰ）は、操作画面を表示する表示部と、操作者による操作を受け付ける操作部とを備えた操作パネルを有している。このような操作パネルは、画面サイズが小さいと視認性や操作性が低下する。そこで、下記特許文献１に示すように、携帯端末に表示されている画面を基準に、この画面を任意の方向に拡張した画面を操作パネルに表示させる操作表示システムが提案されている。
【先行技術文献】
【特許文献】
【０００３】
【特許文献１】特開２０１６−１３０９７８号公報
【発明の概要】
【発明が解決しようとする課題】
【０００４】
ところで、上述した複合機などの操作パネルに表示される情報は、一般の情報の他にセキュリティ情報（ID、パスワード）はもとより、プレビュー画像、アドレス帳の記載情報、アイコン情報、さらには宛先情報の入力釦など、他人には見られたくない秘匿情報が含まれる場合がある。
【０００５】
そこで本発明は、操作表示部に表示された秘匿情報が他人の目に曝されることを防止しつつ、操作の実施が可能な操作表示システムおよび操作表示システムの制御プログラムを提供することを目的とする。
【課題を解決するための手段】
【０００６】
このような目的を達成するための本発明は、表示部と操作部と通信部とを有する操作表示装置と、携帯側表示部と携帯側操作部と携帯側通信部とを有する携帯装置と、前記表示部に前記携帯装置が重ね合わされたことを検出する検出装置とを備え、前記操作表示装置は、前記表示部に対して前記携帯装置が重ね合わされたことを前記検出装置が検出した場合に、前記表示部に秘匿情報が表示されているか否かを判断する判断部と、前記判断部において秘匿情報が表示されていると判断した場合に、前記表示部に表示されている秘匿情報を削除した画像を前記表示部に表示させ、前記秘匿情報に関する画像を前記通信部から前記携帯側通信部に送信させる表示制御部とを備え、前記携帯装置は、前記携帯側通信部で受信した画像を前記携帯側表示部に表示させる携帯側表示制御部を備えた操作表示システムである。
【発明の効果】
【０００７】
本発明によれば、操作表示部に表示された秘匿情報が他人の目に曝されることを防止しつつ、操作の実施が可能な操作表示システムおよび操作表示システムの制御プログラムを提供することができる。
【図面の簡単な説明】
【０００８】
【図１】実施形態に係る操作表示システムの全体構成図である。
【図２】実施形態に係る操作表示システムを構成する画像処理装置（操作表示装置）のブロック図である。
【図３】画像処理装置（操作表示装置）における制御部の機能構成図である。
【図４】実施形態に係る操作表示システムを構成する携帯装置のブロック図である。
【図５】携帯装置における制御部の機能構成図である。
【図６】画像処理装置（操作表示装置）の制御部によって実行される操作表示方法（その１）を示すフローチャートである。
【図７】操作表示の手順を説明するための図（その１）である。
【図８】操作表示の手順を説明するための図（その２）である。
【図９】操作表示の手順を説明するための図（その３）である。
【図１０】画像処理装置（操作表示装置）の制御部において実行される操作表示方法（その２）を示すフローチャートである。
【図１１】携帯装置の制御部において実行される操作表示方法を示すフローチャートである。
【図１２】実施形態に係る操作表示システムを構成する他の操作表示装置のブロック図である。
【図１３】他の操作表示装置における制御部の機能構成図である。
【発明を実施するための形態】
【０００９】
以下、本発明を適用した実施の形態を、図面に基づいて詳細に説明する。
【００１０】
≪操作表示システムの構成≫
図１は、実施形態に係る操作表示システム１の全体構成図である。この図に示すように、操作表示システム１は、本発明の操作表示装置としての役割を果たす画像処理装置１０と、携帯装置２０とを備えている。また以降に詳細に説明するように、画像処理装置１０は表示部１００−１を備えており、携帯装置２０は携帯側表示部２００−１を備えている。
【００１１】
このような画像処理装置１０と携帯装置２０とは、無線ＬＡＮなどの無線通信ネットワーク３０により接続され、画像処理装置１０の表示部１００−１に表示された秘匿情報を、携帯装置２０における携帯側表示部２００−１に移動させる構成となっている。以下、操作表示システム１を構成する画像処理装置１０および携帯装置２０の詳細を、この順に説明する。
【００１２】
＜画像処理装置１０＞
画像処理装置１０は、コピー機能、スキャン機能、プリンター機能、ファクシミリ機能等の、画像形成および画像処理に関する各機能を備えた複合機（ＭＦＰ）であって、本発明の操作表示装置に対応する装置である。このような各機能を備えた画像処理装置１０は、上記の各機能に関わる設定の操作を実施するための操作表示パネル１００と、以下に説明する各部を備えている。
【００１３】
図２は、実施形態に係る操作表示システム１を構成する画像処理装置（操作表示装置）のブロック図である。図２に示すように、画像処理装置１０は、操作表示パネル１００、制御部１０１、記憶部１０２、通信部１０３、画像読取部１０４、自動原稿搬送部（Auto Document Feeder：ＡＤＦ）１０５、プリンター部１０６、およびファクシミリ通信部１０７を備えている。これらの各部は、バス１０８によって相互に接続され、以下のように構成されている。
【００１４】
［操作表示パネル１００］
操作表示パネル１００は、この画像処理装置１０が有する各機能に関わる設定の操作を実施する部分であり、表示部１００−１、操作部１００−２、および検出部１００−３を有する。
【００１５】
このうち表示部１００−１は、各種の操作画面、設定画面等を表示する機能を果たす。このような表示部１００−１は、液晶表示装置や有機ＥＬ表示装置などでよい。
【００１６】
また操作部１００−２は、操作者が実施する各種の操作を受ける機能を果たす。このような操作部１００−２は、表示部１００−１の表示面上に設けられたタッチパネル１００−２１と、スタートボタンやテンキーなどの各種ハードキー１００−２２とを備えている。
【００１７】
また検出部１００−３は、表示部１００−１に携帯装置２０が重ねられたことを検出する。この検出部１００−３は、表示部１００−１に対して携帯装置２０が接触した状態で重ね合わされたことを検出するものであってもよく、また非接触で重ね合わされたことを検出するものであってもよい。特に、この検出部１００−３は、表示部１００−１に対する携帯装置２０の重なり位置を検出することとする。
【００１８】
このような検出部１００−３は、例えば表示部１００−１、および表示部１００−１の周囲を撮影するカメラと、このカメラで撮影した画像を解析して表示部１００−１に重ねられた携帯装置２０の重なり位置の範囲を算出する解析部とによって構成される。
【００１９】
なお、検出部１００−３は、このような構成に限定されることはなく、他の例として表示部１００−１における表示面内に配列された光センサーによって構成されていてもよい。また検出部１００−３は、画像処理装置１０に設けられているものに限定されることはなく、検出装置として画像処理装置１０とは別体のものであってもよい。
【００２０】
［制御部１０１］
制御部１０１は、操作表示パネル１００での操作、または画像処理装置１０に接続されたパーソナルコンピューターなどの外部装置からの受信信号にしたがって、画像処理装置１０の各部の動作を制御するものである。このような制御部１０１は、計算機によって構成されている。計算機は、いわゆるコンピューターとして用いられるハードウェアであって、ＣＰＵ（Central Processing Unit：中央処理装置）１０１−１、ＲＯＭ（Read Only Memory）１０１−２、ＲＡＭ（Random Access Memory）１０１−３を備える。
【００２１】
この制御部１０１において実施する制御のうちの一つは、以降に説明する操作表示システム１の制御方法において詳細に説明する特徴的な制御である。このような特徴的な制御の手順は、画像処理装置１０の各部の動作を制御するための制御プログラムとして、ＲＯＭ１０１−２に保存されたプログラムであるか、または外部装置からＲＡＭ１０１−３または記憶部１０２にロードされて保存されたプログラムである。この制御プログラムは、以降の操作表示システム１の制御方法において説明するステップを計算機に実行させる。
【００２２】
図３は、画像処理装置（操作表示装置）１０における制御部１０１の機能構成図である。この図に示すように、制御部１０１は、機能的要素として、画像処理部１０１ａ、駆動制御部１０１ｂ、判断部１０１ｃ、表示制御部１０１ｄ、および画像生成部１０１ｅを備える。次に、これらの機能的要素の構成を、図３、および先の図１および図２を参照して説明する。
【００２３】
−画像処理部１０１ａ−
画像処理部１０１ａは、画像の拡大縮小、回転などの処理のほか、印刷データをイメージデータに変換するラスタライズ処理、画像データの圧縮、伸張処理などを行う。このような画像処理部１０１ａは、例えばラスターイメージプロセッサ（Raster image processor：ＲＩＰ）であってよい。画像処理部１０１ａが処理する画像の原稿データは、例えばネットワーク通信部を介して外部装置から入力された画像データであるか、以降に説明する画像読取部１０４において読み取った画像データである。
【００２４】
−駆動制御部１０１ｂ−
駆動制御部１０１ｂは、画像処理装置１０を構成する各動作部、すなわち画像読取部１０４、自動原稿搬送部１０５、プリンター部１０６、およびファクシミリ通信部１０７の動作を制御する。
【００２５】
−判断部１０１ｃ−
判断部１０１ｃは、表示部１００−１に対して携帯装置２０が重ね合わされたことを検出部１００−３が検出した場合に、表示部１００−１に秘匿情報が表示されているか否かを判断する。この判断部１０１ｃによる判断の手順は、以降の操作表示システムの制御方法において詳細に説明する。
【００２６】
−表示制御部１０１ｄ−
表示制御部１０１ｄは、判断部１０１ｃでの判断に基づいて、表示部１００−１に表示する画像を制御する。またこの表示制御部１０１ｄは、判断部１０１ｃでの判断に基づいて、通信部１０３から携帯装置２０に送信する画像を制御する。表示制御部１０１ｄによる画像の制御の判断は、以降の操作表示システムの制御方法において詳細に説明する。
【００２７】
−画像生成部１０１ｅ−
画像生成部１０１ｅは、表示制御部１０１ｄからの指示に基づいて、表示部１００−１に表示されている画像から所定の画像を削除した画像を生成する。この画像生成部１０１ｅによる画像生成の詳細は、以降の操作表示システムの制御方法において詳細に説明する。
【００２８】
［記憶部１０２］
図２に戻り、記憶部１０２は、電源をオフにしても記憶内容が破壊されない不揮発メモリであり、フラッシュメモリや、ハードディスク装置のような大容量不揮発の記憶装置である。このような記憶部１０２は、印刷データ、表示画面のデータのほか各種のプログラムやデータが記憶される。本発明の実施の形態では、携帯装置２０との間での通信を確立し、画像処理装置１０の表示部１００−１に表示された秘匿情報を、携帯装置２０における携帯側表示部２００−１に移動させるための専用のアプリケーションが保存されていてもよい。
【００２９】
またこの記憶部１０２には、秘匿情報となる項目を管理する管理テーブルが保存されていてもよい。この管理テーブルには、画像処理装置１０の操作者［Ｏｐ］が、一般的に他人には見られたくないと考える秘匿情報の項目が保存さていていることとする。
【００３０】
管理テーブルに保存されているこのような秘匿情報の項目は、例えば次のような項目であり、デフォルトとして管理テーブルに保存されていることとする。
【００３１】
１）セキュリティ情報（ＩＤ情報、パスワード情報など）
２）プレビュー情報
３）アドレス帳の記載情報
４）ファイル情報（ファイル名、ファイル形式、およびプレビューされた表示写真のアイコンなど）
５）操作のための入力ボタンおよび入力欄
【００３２】
なお、４）ファイル情報は、ここでの図示を省略した入出力インターフェースに接続された記録媒体に保存してあるファイル情報、および無線通信ネットワークを介して接続されたクラウド上のファイル情報を含む。
【００３３】
なお、管理テーブルに保存されている秘匿情報の項目は、画像処理装置１０の操作者［Ｏｐ］が、操作表示パネル１００の操作部１００−２の操作によって、その都度に設定してもよいし、デフォルトの設定を変更してもよい。
【００３４】
［通信部１０３］
通信部１０３は、画像処理装置１０と、携帯装置２０を含む外部装置との間での通信を実施する。通信部１０３による通信は、無線通信ネットワーク３０を介しての通信と、さらに近距離無線通信による携帯装置２０との通信とを実施する。近距離無線通信は、例えば赤外線通信や、Bluetooth(登録商標)などであってもよい。
【００３５】
［画像読取部１０４］
画像読取部１０４は、原稿を光学的に読み取って画像データを取得する機能を果たす。画像読取部１０４は、例えば、原稿に光を照射する光源と、その反射光を受けて原稿を幅方向に１ライン分読み取るラインイメージセンサと、ライン単位の読み取り位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００３６】
［自動原稿搬送部１０５］
自動原稿搬送部１０５は、原稿台にセットされた原稿を、その最上のものから１枚ずつ順に繰り出して搬送し、画像読取部１０４の読み取り位置を通過させて所定位置に排出する機能を果たす。
【００３７】
［プリンター部１０６］
プリンター部１０６は、画像データに応じた画像を記録媒体上に形成する機能を果たす。このようなプリンター部１０６は、例えば電子写真プロセスによって画像形成を行うレーザープリンターであるか、他の方式で画像形成を行うものであってもよい。
【００３８】
［ファクシミリ通信部１０７］
ファクシミリ通信部２２は、ファクシミリ機能を備えた外部装置と電話回線を通じて画像データを送受信する機能を果たす。
【００３９】
＜携帯装置２０＞
図１に示した携帯装置２０は、タブレット等の携帯型情報処理装置であって、携帯側操作表示パネル２００と、以下に説明する各部を備えている。
【００４０】
図４は、実施形態に係る操作表示システム１を構成する携帯装置２０のブロック図である。図４に示すように、携帯装置２０は、携帯側操作表示パネル２００、携帯側制御部２０１、記憶部２０２、携帯側通信部２０３、およびカメラ２０４を備えている。これらの各部は、バス２０５によって相互に接続され、以下のように構成されている。
【００４１】
［携帯側操作表示パネル２００］
携帯側操作表示パネル２００は、この携帯装置２０が有する各機能に関わる設定の操作を実施する部分であり、携帯側表示部２００−１、および携帯側操作部２００−２を有する。
【００４２】
このうち携帯側表示部２００−１は、各種の操作画面、設定画面等を表示する機能を果たす。このような携帯側表示部２００−１は、液晶表示装置や有機ＥＬ表示装置などでよい。
【００４３】
また携帯側操作部２００−２は、操作者が実施する各種の操作を受ける機能を果たす。このような携帯側操作部２００−２は、携帯側表示部２００−１の表示面上に設けられたタッチパネル２００−２１と、ハードキー２００−２２とを備えている。
【００４４】
［携帯側制御部２０１］
携帯側制御部２０１は、携帯側操作表示パネル２００での操作、および携帯装置２０に無線接続された画像処理装置１０からの受信信号にしたがって、携帯装置２０の動作を制御するものである。このような携帯側制御部２０１は、計算機によって構成されている。計算機は、いわゆるコンピューターとして用いられるハードウェアであって、先に説明した画像処理装置１０の計算機と同様に、ＣＰＵ２０１−１、ＲＯＭ２０１−２、ＲＡＭ２０１−３を備える。
【００４５】
この携帯側制御部２０１において実施する制御のうちの一つは、以降に説明する操作表示システム１の制御方法において詳細に説明する特徴的な制御である。このような特徴的な制御の手順は、携帯装置２０の各部の動作を制御するための制御プログラムとして、ＲＯＭ２０１−２に保存されたプログラムであるか、または外部装置からＲＡＭ２０１−３または記憶部２０２にロードされて保存されたプログラムである。この制御プログラムは、以降の操作表示システム１の制御方法において説明するステップを計算機に実行させる。
【００４６】
図５は、携帯装置２０における携帯側制御部２０１の機能構成図である。この図に示すように、携帯側制御部２０１は、機能的要素の一つとして下記のような携帯側表示制御部２０１ａを有する。
【００４７】
−携帯側表示制御部２０１ａ−
携帯側表示制御部２０１ａは、携帯側通信部２０３において、画像処理装置１０から送信された画像を受信した場合に、受信した画像を携帯側表示部２００−１に表示させる。
【００４８】
［記憶部２０２］
図４に戻り、記憶部２０２は、電源をオフにしても記憶内容が破壊されない不揮発メモリであり、なかでもフラッシュメモリのような小型のものである。このような記憶部２０２は、各種設定情報の保存などに使用される。本発明の実施の形態では、画像処理装置１０と通信を確立し、表示内容を連携させるための専用のアプリケーションが保存される。
【００４９】
［携帯側通信部２０３］
携帯側通信部２０３は、携帯装置２０と、画像処理装置１０を含む外部装置との間での通信を実施する。携帯側通信部２０３による通信は、無線通信ネットワーク３０を介しての通信と、さらに近距離無線通信による画像処理装置１０との通信とを実施する。近距離無線通信は、画像処理装置１０の通信部１０３と同様の規格の無線通信技術が適用され、画像処理装置１０と携帯装置２０との間での無線通信を確立することにより、画像処理装置１０と携帯装置２０との連携動作を可能な状態とする。
【００５０】
［カメラ２０４］
カメラ２０４は、携帯側操作表示パネル２００の背面に設けられている。このカメラ２０４で得られた撮像画は、携帯側操作表示パネル２００の携帯側表示部２００−１に表示される。
【００５１】
≪操作表示システムの制御方法≫
次に、以上のような構成の操作表示システム１の制御方法を、画像処理装置（操作表示装置）１０における操作表示方法、および携帯装置２０における操作表示方法の順に説明する。
【００５２】
＜画像処理装置（操作表示装置）１０における操作表示方法（その１）＞
図６は、画像処理装置（操作表示装置）１０の制御部１０１によって実行される操作表示方法（その１）を示すフローチャートである。図７は、操作表示の手順を説明するための図（その１）である。図６に示すフローチャートの手順は、図７に示すように、操作者［Ｏｐ］が画像処理装置１０の操作表示パネル１００の操作部１００−２を操作することによって開始される。
【００５３】
ここで説明する操作表示方法は、画像処理装置１０の制御部１０１を構成するＣＰＵ１０１−１が、ＲＯＭ１０１−２やＲＡＭ１０１−３、さらには記憶部１０２に保存された制御プログラムに基づいて、画像処理装置１０の表示部１００−１の表示を制御することによって実現される。
【００５４】
以下、図６のフローチャートにしたがい、先の図１〜図５、図７および必要な図面を参照しつつ、画像処理装置（操作表示装置）１０における操作表示方法を説明する。
【００５５】
［ステップＳ００１］
ステップＳ００１において、制御部１０１における判断部１０１ｃは、表示部１００−１に対して、携帯装置２０の重ね合わせが検知されたか否かを判断する。この際、判断部１０１ｃは、操作表示パネル１００に設けられた検出部１００−３が、表示部１００−１に表示された画像［Ｐ］に対して携帯装置２０が重ねられたことを検知した場合に、重ねられた（ＹＥＳ）と判断する。
【００５６】
［ステップＳ００２］
ステップＳ００２において、判断部１０１ｃは、検出部１００−３から、画像処理装置１０の表示部１００−１に対して携帯装置２０が重ねられた領域の座標を取得する。図８は、操作表示の手順を説明するための図（その２）である。この図に示すように、判断部１０１ｃは、画像処理装置１０の表示部１００−１に表示された画像［Ｐ］に対して、携帯装置２０が重ねられた領域［Ａ］の座標を取得する。
【００５７】
この領域［Ａ］は、例えば操作者［Ｏｐ］が印刷またはファクシミリ送信しようとする画像のプレビュー画面であったり、または画像情報やアイコン情報等を表示するひとかたまりの領域の何れか１つであることとする。判断部１０１ｃは、このようなひとかたまりの領域の全体、または一部に対して携帯装置２０が重ねられた場合に、その領域を携帯装置２０が重ねられた領域［Ａ］と判断してその座標を取得する。
【００５８】
［ステップＳ００３］
ステップＳ００３において、判断部１０１ｃは、記憶部１０２に保存された管理テーブルを参照し、秘匿情報の項目を確認する。
【００５９】
［ステップＳ００４］
ステップＳ００４において、判断部１０１ｃは、表示部１００−１の表示画像を参照し、携帯装置２０が重ねられた領域［Ａ］内の表示について、ステップＳ００３で確認した秘匿情報の項目の検出処理を実施する。
【００６０】
［ステップＳ００５］
ステップＳ００５において、判断部１０１ｃは、ステップＳ００４における秘匿情報の項目の検出処理の結果、表示部１００−１において携帯装置２０が重ねられた領域［Ａ］内に、秘匿情報が検出されたか否かを判断する。検出された（ＹＥＳ）と判断した場合には、次のステップＳ００６に進む。一方、検出されなかった（ＮＯ）と判断した場合には、一連のフローを終了させる。
【００６１】
［ステップＳ００６］
ステップＳ００６において、表示制御部１０１ｄは、画像生成部１０１ｅに対して、携帯装置２０が重ねられた領域［Ａ］の画像を削除した画像［Ｐ１］の生成を指示する。
【００６２】
［ステップＳ００７］
ステップＳ００７において、画像生成部１０１ｅは、判断部１０１ｃからの指示にしたがって、携帯装置２０が重ねられた領域［Ａ］の画像を削除した画像［Ｐ１］の生成処理を実施する。
【００６３】
［ステップＳ００８］
ステップＳ００８において、表示制御部１０１ｄは、画像生成部１０１ｅで生成した画像［Ｐ１］を表示部１００−１に対して表示させる。図９は、操作表示の手順を説明するための図（その３）である。この図に示すように、画像処理装置１０の表示部１００−１は、携帯装置２０が重ねられた領域［Ａ］の画像を削除した画像［Ｐ１］を表示する。
【００６４】
［ステップＳ００９］
ステップＳ００９において、表示制御部１０１ｄは、通信部１０３に対し、携帯装置２０への無線通信の確立の要求を送信させる。
【００６５】
［ステップＳ０１０］
ステップＳ０１０において、通信部１０３は、携帯装置２０の携帯側通信部２０３との間で、通信の確立処理を実施する。
【００６６】
［ステップＳ０１１］
ステップＳ０１１において、表示制御部１０１ｄは、通信部１０３と、携帯装置２０の携帯側通信部２０３との間の無線通信が確立したか否かの判断を実施する。判断部１０１ｃは、無線通信が確立した（ＹＥＳ）と判断した場合には、ステップＳ０１２に進む。一方、無線通信が確立しない（ＮＯ）と判断した場合には、一連のフローを終了させる。
【００６７】
［ステップＳ０１２］
ステップＳ０１２において、表示制御部１０１ｄは、画像生成部１０１ｅに対して、携帯装置２０が重ねられた領域［Ａ］の画像［Ｐａ］であって、表示部１００−１から削除された画像［Ｐａ］の生成を指示する。
【００６８】
［ステップＳ０１３］
ステップＳ０１３において、画像生成部１０１ｅは、携帯装置２０が重ねられた領域［Ａ］の画像［Ｐａ］であって、表示部１００−１から削除された画像［Ｐａ］の生成処理を実施する。
【００６９】
［ステップＳ０１４］
ステップＳ０１４において、表示制御部１０１ｄは、通信部１０３に対し、携帯装置２０への画像［Ｐａ］の送信を指示する。
【００７０】
［ステップＳ０１５］
ステップＳ０１５において、通信部１０３は、携帯装置２０に対して、画像［Ｐａ］の送信を実施する。
【００７１】
［ステップＳ０１６］
ステップＳ１０６において、通信部１０３は、携帯装置２０に対して、携帯側表示部２００−１に画像［Ｐａ］を表示させる旨の指示の送信を実施し、一連のフローを終了させる。
【００７２】
＜画像処理装置（操作表示装置）１０における操作表示方法（その２）＞
図１０は、画像処理装置（操作表示装置）１０の制御部において実行される操作表示方法（その２）を示すフローチャートである。図１０に示すフローチャートの手順は、図６を用いて説明したステップＳ０１１において、無線通信が確立した（ＹＥＳ）と判断されたことにより開始される。
【００７３】
ここで説明する制御方法は、画像処理装置１０の制御部１０１を構成するＣＰＵ１０１−１が、ＲＯＭ１０１−２やＲＡＭ１０１−３、さらには記憶部１０２に保存された制御プログラムに基づいて、画像処理装置１０の表示部１００−１の表示を制御することによって実現される。
【００７４】
以下、図１０のフローチャートにしたがい、先の図３および図９を参照しつつ、画像処理装置（操作表示装置）１０における操作表示方法を説明する。
【００７５】
［ステップＳ１０１］
ステップＳ１０１において、制御部１０１における表示制御部１０１ｄは、携帯装置２０との間で確立させた無線通信の状態が維持されているか否かの判断を実施する。無線通信の状態が維持されている（ＹＥＳ）と判断されている間は判断を繰り返す。そして、無線通信の状態が維持されていない（ＮＯ）と判断された場合には、無線通信が途絶えたとしてステップＳ１０２に進む。
【００７６】
［ステップＳ１０２］
ステップＳ１０２において、制御部１０１における表示制御部１０１ｄは、表示部１００−１に対する表示を終了させる処理を実施し、一連の処理を終了させる。
【００７７】
以上により、スマートフォンなどの携帯装置２０を保持した操作者［Ｏｐ］が、画像処理装置（操作表示装置）１０から離れた状況となった場合に、画像処理装置（操作表示装置）１０の表示部１００−１においての操作者［Ｏｐ］向けの表示を停止させることができる。
【００７８】
＜携帯装置２０における操作表示方法＞
図１１は、携帯装置２０の携帯側制御部２０１において実行される操作表示方法を示すフローチャートである。図１１に示すフローチャートの手順は、図６を用いて説明したステップＳ０１１において、無線通信が確立した（ＹＥＳ）と判断されたことにより開始される。
【００７９】
ここで説明する制御方法は、携帯装置２０の携帯側制御部２０１を構成するＣＰＵ２０１−１が、ＲＯＭ２０１−２やＲＡＭ２０１−３、さらには記憶部２０２に保存された制御プログラムに基づいて、携帯装置２０の携帯側表示部２００−１の表示を制御することによって実現される。
【００８０】
以下、図１１のフローチャートにしたがい、先の図４〜図５および図９を参照しつつ、携帯装置２０における操作表示方法を説明する。
【００８１】
［ステップＳ２０１］
ステップＳ２０１において、携帯側表示制御部２０１ａは、携帯側通信部２０３において、画像［Ｐａ］と画像［Ｐａ］の表示の指示を受信したか否かの判断を実施する。携帯側表示制御部２０１ａは、受信した（ＹＥＳ）と判断されるまで判断を繰り返し、受信した（ＹＥＳ）と判断した場合に、次のステップＳ２０２に進む。
【００８２】
［ステップＳ２０２］
ステップＳ２０２において、携帯側表示制御部２０１ａは、携帯側表示部２００−１に対して、携帯側通信部２０３で受信した画像［Ｐａ］の表示を指示し、携帯側表示部２００−１は画像［Ｐａ］を表示する。そして一連の処理を終了させる。
【００８３】
＜実施形態の効果＞
以上説明した実施形態によれば、複合機のような画像処理装置１０の操作表示パネル１００の表示部１００−１に、操作者［Ｏｐ］が他人に見られたくない秘匿情報が表示されたとしても、この秘匿情報を携帯装置２０の携帯側表示部２００−１に移動させることができる。このため、操作者［Ｏｐ］は、手元にあるスマートフォンなどの携帯装置２０の携帯側表示部２００−１において、他人に見られることなく秘匿情報を確認することが可能である。
【００８４】
なお、以上説明した実施形態においては、画像処理装置１０の表示部１００−１において携帯装置２０が重ねられた領域［Ａ］に秘匿情報が表示されている場合に、画像処理装置１０の表示部１０−１には、領域［Ａ］の画像を削除した画像［Ｐ１］を表示させる構成とした。
【００８５】
しかしながら、表示制御部１０１ｄは、領域［Ａ］内の秘匿情報のみを削除した画像［Ｐ１］を表示部１００−１に表示させてもよい。この場合であっても、表示制御部１０１ｄは、表示部１００−１から削除された画像を、通信部１０３から携帯側通信部２０３に送信させればよい。
【００８６】
さらに、画像処理装置１０の表示制御部１０１ｄは、秘匿情報を含む領域［Ａ］内の全ての画像または領域［Ａ］内の秘匿情報と共に、領域［Ａ］内の秘匿情報に関連する秘匿情報であって領域［Ａ］外の秘匿情報を削除してもよい。
【００８７】
この場合、ステップＳ００５において、判断部１０１ｃは、携帯装置２０が重ねられた領域［Ａ］内に秘匿情報が有る（ＹＥＳ）と判断した場合、さらに領域［Ａ］に表示されている秘匿情報と関連する秘匿情報が、表示部１００−１における領域［Ａ］の外側に表示されているか否かを判断する。そして、判断部１０１ｃにおいて、領域［Ａ］に表示されている秘匿情報と関連する秘匿情報が、表示部１００−１における領域［Ａ］の外側に表示されている（ＹＥＳ）と判断された場合、ステップＳ００６において、表示制御部１０１ｄは、領域［Ａ］の画像と共に関連する秘匿情報も削除した画像の生成を、画像生成部１０１ｅに対して指示する。このような構成であれば、表示部１００−１の画面が大きく、携帯装置２０によって秘匿情報が表示された領域［Ａ］を覆いきれない場合であっても、領域［Ａ］の外側の秘匿情報も削除した表示を行うことが可能である。
【００８８】
なお、関連する秘匿情報として、タッチパネル１００−２１の操作のための操作キーの表示画面を指定しておいてもよい。この場合、携帯装置２０の携帯側表示部２００−１のタッチパネル２００−２１のタッチ操作を、携帯側通信部２０３から画像処理装置１０側に送信し、画像処理装置１０の操作を可能としてもよい。
【００８９】
さらに、以上の実施の形態では、画像処理装置１０の検出部１００−３において、表示部１００−１に携帯装置２０が重ねられた領域［Ａ］の座標を取得し、この領域［Ａ］に表示されている秘匿情報を削除した表示を行う構成とした。しかしながら、検出部１００−３は、表示部１００−１に携帯装置２０が重ねられたことを検知するのみとしてもよい。この場合、判断部１０１ｃは、表示部１００−１に対して携帯装置２０が重ね合わされたことを検出部１００−３が検出した場合に、表示部１００−１に表示された秘匿情報を検出する。また、表示制御部１０１ｄは、表示部１００−１に表示された全ての秘匿情報を削除した画像を表示部１００−１に表示させればよい。
【００９０】
≪変形例≫
図１２は、実施形態に係る操作表示システムを構成する他の操作表示装置１０’のブロック図である。また図１３は、他の操作表示装置１０’における制御部１０１’の機能構成図である。これらの図に示すように、本発明の操作制御システムを構成する操作表示装置１０’は、画像処理装置に限定されることはない。
【００９１】
すなわち、本発明の操作制御システムを構成する操作表示装置１０’は、図２に示した画像処理装置（操作表示装置）１０のように、画像読取部１０４、自動原稿搬送部１０５、プリンター部１０６、およびファクシミリ通信部１０７を備えている必要はない。図１２に示すように、本発明の操作表示システムを構成する操作表示装置１０’は、操作表示パネル１００、制御部１０１’、記憶部１０２、および通信部１０３を備えていればよい。
【００９２】
この場合、図１３に示すように、制御部１０１’は、機能的要素として、判断部１０１ｃ、表示制御部１０１ｄ、および画像生成部１０１ｅを備えていればよい。
【符号の説明】
【００９３】
１…操作表示システム
１０…画像処理装置（操作表示装置）
１０’…操作表示装置
１００−１…表示部
１００−２…操作部
１００−３…検出部（検出装置）
１０１ｃ…判断部
１０１ｄ…表示制御部
１０２…記憶部
１０３…通信部
２０…携帯装置
２００−１…携帯側表示部
２００−２…携帯側操作部
２０１ａ…携帯側表示制御部
２０３…携帯側通信部
【図１】
2020202445.tif 000003
【図２】
2020202445.tif 000004
【図３】
2020202445.tif 000005
【図４】
2020202445.tif 000006
【図５】
2020202445.tif 000007
【図６】
2020202445.tif 000008
【図７】
2020202445.tif 000009
【図８】
2020202445.tif 000010
【図９】
2020202445.tif 000011
【図１０】
2020202445.tif 000012
【図１１】
2020202445.tif 000013
【図１２】
2020202445.tif 000014
【図１３】
2020202445.tif 000015